【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
非接触型通信を行う手段と、接触型通信を行う手段とを有する記録媒体と通信可能な記録制御装置であって、
前記記録媒体と非接触型通信を行う非接触型通信手段と、
前記記録媒体と接触型通信が可能な接触型通信手段と、
前記記録媒体へのコンテンツデータの記録を制御する制御手段とを有し、
前記制御手段は、前記記録媒体の記録領域のうち、前記非接触型通信手段を用いてアクセス可能な第１の記録領域に前記コンテンツデータの関連情報が記録され、前記接触型通信手段を用いてアクセス可能な第２の記録領域に前記コンテンツデータが記録されるよう前記記録媒体への記録を制御することを特徴とする記録制御装置。
【請求項２】
前記制御手段は、前記記録媒体への記録を制御するための制御情報を、前記接触型通信手段によって前記記録媒体に送信して、前記第１の記録領域に前記コンテンツデータの関連情報を記録させることを特徴とする請求項１に記載の記録制御装置。
【請求項３】
前記非接触型通信手段は、前記非接触型通信を用いて前記第１の記録領域に記録されている前記コンテンツデータの関連情報を受信し、
前記非接触型通信手段により受信された前記コンテンツデータの関連情報を表示する表示手段をさらに有する請求項１または２に記載の記録制御装置。
【請求項４】
前記表示手段は、前記第２の記録領域に表示対象となるコンテンツデータが存在しない場合、その旨を示すメッセージを表示することを特徴とする請求項３に記載の記録制御装置。
【請求項５】
通信相手の記録媒体が非接触型通信及び接触型通信が可能である否かを判定する判定手段と、
前記判定手段により前記通信相手の記録媒体が非接触型通信及び接触型通信が可能であると判定された場合に、前記コンテンツデータに基づき前記コンテンツデータの関連情報を生成する生成手段をさらに有する請求項１乃至４のいずれか１項に記載の記録制御装置。
【請求項６】
前記コンテンツデータの関連情報は、前記コンテンツデータの時間情報であることを特徴とする請求項１乃至５のいずれか１項に記載の記録制御装置。
【請求項７】
前記コンテンツデータは画像データであって、
前記コンテンツデータの関連情報は、前記コンテンツデータのサムネイル画像であることを特徴とする請求項１乃至５のいずれか１項に記載の記録制御装置。
【請求項８】
前記コンテンツデータの関連情報は、前記記録媒体が前記記録制御装置に接続された際に生成されることを特徴とする請求項１乃至７のいずれか１項に記載の記録制御装置。
【請求項９】
非接触型通信を行う手段と、接触型通信を行う手段とを有する記録制御装置と通信可能な記録媒体であって、
前記記録制御装置と非接触型通信を行う非接触型通信手段と、
前記記録制御装置と接触型通信が可能な接触型通信手段と、
前記記録制御装置から受信したコンテンツデータを前記記録媒体の記録領域に記録する記録手段とを有し、
前記記録領域は、前記非接触型通信により前記記録制御装置からアクセス可能な第１の記録領域と、前記接触型通信により前記記録制御装置からアクセス可能な第２の記録領域とを含み、
前記記録手段は、前記第１の記録領域に前記コンテンツデータの関連情報を記録し、前記第２の記録領域に前記コンテンツデータを記録することを特徴とする記録媒体。
【請求項１０】
前記接触型通信手段は、前記コンテンツデータの関連情報を前記第１の記録域に記録させるための制御情報を前記記録制御装置から受信し、
前記記録手段は、前記接触型通信手段により受信した制御情報に基づき、前記コンテンツデータの関連情報を前記第１の記録領域に記録することを特徴とする請求項９に記載の記録媒体。
【請求項１１】
前記記録制御装置から受信したコンテンツデータに基づき、前記コンテンツデータの関連情報を生成する生成手段をさらに有する請求項９または１０に記載の記録媒体。
【請求項１２】
非接触型通信を行う手段と、接触型通信を行う手段とを有する記録媒体と非接触型通信及び非接触型通信によって通信を行う記録制御装置の制御方法であって、
前記記録制御装置は、前記記録媒体にコンテンツデータの記録を行う際、
前記記録媒体の記録領域のうち、前記非接触型通信を用いてアクセス可能な第１の記録領域に前記コンテンツデータの関連情報を記録する第１のステップと、
前記接触型通信を用いてアクセス可能な第２の記録領域に前記コンテンツデータが記録を記録する第２のステップとを行うことを特徴とする制御方法。
【請求項１３】
非接触型通信を行う手段と、接触型通信を行う手段とを有する記録制御装置と非接触型通信及び非接触型通信によって通信を行う記録媒体の制御方法であって、
前記記録媒体は、前記記録制御装置から受信したコンテンツデータを前記記録媒体の記録領域に記録する際、
前記非接触型通信により前記記録制御装置からアクセス可能な第１の記録領域に前記コンテンツデータの関連情報を記録する第１のステップと、
前記接触型通信により前記記録制御装置からアクセス可能な第２の記録領域前記コンテンツデータを記録する第２のステップとを行うことを特徴とする制御方法。
【手続補正２】
【補正対象書類名】明細書
【補正対象項目名】発明の名称
【補正方法】変更
【補正の内容】
【発明の名称】記録制御装置、記録媒体、及びその制御方法
【手続補正３】
【補正対象書類名】明細書
【補正対象項目名】０００１
【補正方法】変更
【補正の内容】
【０００１】
本発明は、２系統のアクセス手段を持つ記録媒体、特に非接触型アクセス手段と接触型アクセス手段を持つ記録媒体に画像情報を記録する記録制御装置、記録媒体、及びその制御方法に関するものである。
【手続補正４】
【補正対象書類名】明細書
【補正対象項目名】０００２
【補正方法】変更
【補正の内容】
【０００２】
データの読み書きが可能な携帯型の接触型記録メディア（以下、記録メディアを記録媒体ともいう）、例えば、半導体メモリ等の記憶素子を用い、信号伝送や電力供給のための接点が設けられているメモリカードが、デジタルカメラやビデオカメラ等の映像記録装置の記録メディアとして利用されている。
【手続補正５】
【補正対象書類名】明細書
【補正対象項目名】００１０
【補正方法】変更
【補正の内容】
【００１０】
本発明の目的は、非接触型アクセスと接触型アクセスが可能な記録メディアを用い、その記録メディア内に記録されたデータの内容を、接触型アクセスでのメディアの挿入といった手間を抑えながら確認することができる記録制御装置、記録媒体、及びその制御方法を提供することにある。
【手続補正６】
【補正対象書類名】明細書
【補正対象項目名】００１１
【補正方法】変更
【補正の内容】
【００１１】
上記目的を達成するために、本発明による記録制御装置は、非接触型通信を行う手段と、接触型通信を行う手段とを有する記録媒体と通信可能な記録制御装置であって、前記記録媒体と非接触型通信を行う非接触型通信手段と、前記記録媒体と接触型通信が可能な接触型通信手段と、前記記録媒体へのコンテンツデータの記録を制御する制御手段とを有し、前記制御手段は、前記記録媒体の記録領域のうち、前記非接触型通信手段を用いてアクセス可能な第１の記録領域に前記コンテンツデータの関連情報が記録され、前記接触型通信手段を用いてアクセス可能な第２の記録領域に前記コンテンツデータが記録されるよう前記記録媒体への記録を制御することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明による記録媒体は、非接触型通信を行う手段と、接触型通信を行う手段とを有する記録制御装置と通信可能な記録媒体であって、前記記録制御装置と非接触型通信を行う非接触型通信手段と、前記記録制御装置と接触型通信が可能な接触型通信手段と、前記記録制御装置から受信したコンテンツデータを前記記録媒体の記録領域に記録する記録手段とを有し、前記記録領域は、前記非接触型通信により前記記録制御装置からアクセス可能な第１の記録領域と、前記接触型通信により前記記録制御装置からアクセス可能な第２の記録領域とを含み、前記記録手段は、前記第１の記録領域に前記コンテンツデータの関連情報を記録し、前記第２の記録領域に前記コンテンツデータを記録することを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
本発明によれば、非接触型アクセスと接触型アクセスが可能な記録メディア（記録媒体）を用い、その記録メディア内に記録されたデータの内容を、接触型アクセスでのメディアの挿入といった手間を抑えながら確認することができる。
【手続補正１４】
【補正対象書類名】明細書
【補正対象項目名】００２０
【補正方法】変更
【補正の内容】
【００２０】
図１は、本発明の実施の形態に係る映像記録装置（記録制御装置）と記録メディア（記録媒体）が接続された映像記録システムのブロック図である。
【手続補正１５】
【補正対象書類名】明細書
【補正対象項目名】００２９
【補正方法】変更
【補正の内容】
【００２９】
ここで、接触型通信用処理部１１４と非接触型通信用処理部１１７は、接触用メモリ１１５に画像データ（映像データ）を保存する場合に、非接触用メモリ１１８に映像データの代表画像データ（代表映像データ）を保存する処理を行う処理手段として機能する。
【手続補正１６】
【補正対象書類名】明細書
【補正対象項目名】００６５
【補正方法】変更
【補正の内容】
【００６５】
ステップＳ７０２は、検知手段により対応記録メディアが検知された場合に非接触用メモリ１１８に保存されている代表映像データの有無を判定する第２の判定手段として機能する。
【手続補正１７】
【補正対象書類名】明細書
【補正対象項目名】００６７
【補正方法】変更
【補正の内容】
【００６７】
ステップＳ７０３は、第２の判定手段により非接触用メモリ１１８に代表映像データが保存されていると判定された場合に、代表映像データを表示する表示手段として機能する。
【手続補正１８】
【補正対象書類名】図面
【補正対象項目名】図１
【補正方法】変更
【補正の内容】
【図１】
2009296541.tif 000001